(57)【要約】【課題】単セル内からガスを排出するための複数のガス排出口が形成されたガスセパレータを備える燃料電池において、液水に起因するガス流れの悪化を抑制する。【解決手段】燃料電池は、電解質層と、電解質層上に形成される電極層と、電極層のさらに外側に配置されるガスセパレータと、電解質層、電極層およびガスセパレータの積層方向に平行に配置され、電極上を通過したガスが流れるガス排出マニホールドと、を備える。ガスセパレータは、電極層に対向する側の表面において開口し、電極上を通過したガスが流入する複数のガス排出口と、ガス排出口とガス排出マニホールドとを、ガスセパレータの内部を介して連通させるガス連通路と、を有する。ガス排出口は、径および／または幅が異なる複数の平面図形を一部が重なるように組み合わせた形状を有する。【選択図】図１
2007294331.tif 000002
【特許請求の範囲】
【請求項１】
燃料電池であって、
電解質層と、
前記電解質層上に形成される電極層と、
前記電極層のさらに外側に配置されるガスセパレータと、
前記電解質層、前記電極層および前記ガスセパレータの積層方向に平行に配置され、前記電極上を通過したガスが流れるガス排出マニホールドと
を備え、
前記ガスセパレータは、前記電極層に対向する側の表面において開口し、前記電極上を通過したガスが流入する複数のガス排出口と、前記ガス排出口と前記ガス排出マニホールドとを、前記ガスセパレータの内部を介して連通させるガス連通路と、を有し、
前記ガス排出口は、径および／または幅が異なる複数の平面図形を一部が重なるように組み合わせた形状を有する
燃料電池。
【請求項２】
請求項１記載の燃料電池であって、
前記ガス排出口は、前記電極層と前記ガスセパレータとの間に形成されるガス流路を流れるガスが最初に到達する端部側に、径および／または幅がより小さい部分が形成されている
燃料電池。
【請求項３】
請求項１または２記載の燃料電池であって、さらに、
前記電極層と、前記ガスセパレータとの間に、導電性多孔質体から成るガス流路形成部を備え、
前記ガスセパレータにおける前記ガス流路形成部と接する表面は、前記ガス流路形成部表面に比べて、液体との接触角が同等、あるいは、より小さくなる材料によって形成されている
燃料電池。
【請求項４】
請求項１ないし３いずれか記載の燃料電池であって、
前記ガス排出口は、径の異なる２つの円の一部を重ねた形状を有する
燃料電池。
【請求項５】
請求項４記載の燃料電池であって、
前記ガス排出口は、径の異なる２つの円の一部を重ねて外周を滑らかな曲線にした形状を有する
燃料電池。
【請求項６】
請求項１ないし５いずれか記載の燃料電池であって、
前記ガス連通路が前記ガス排出口に接続する接続部の内壁には、前記ガス排出口における径および／または幅がより小さい部分に接続する部分の方が、前記ガス排出口における径および／または幅がより大きい部分に接続する部分よりも、液体との接触角が小さくなる処理が施されている
燃料電池。
【請求項７】
請求項６記載の燃料電池であって、
前記接触角が小さくなる処理は、接触角がより小さくなる材料で被覆する処理と、接触角がより小さくなるように表面形状を変化させる処理とのうちの少なくともいずれか一方を含む処理である
燃料電池。
【請求項８】
燃料電池用ガスセパレータであって、
前記燃料電池内において、前記燃料電池用ガスセパレータを含む部材の積層方向に平行となるように、燃料電池内を貫通して形成されるガスマニホールドを形成する穴部と、
前記燃料電池用ガスセパレータの一方の表面で開口する複数の開口部を有すると共に、前記開口部と前記穴部とを、前記燃料電池用ガスセパレータの内部を介して連通させる連通路と
を備え、
前記開口部は、径および／または幅が異なる複数の平面図形を一部が重なるように組み合わせた形状を有する
燃料電池用ガスセパレータ。
【請求項９】
請求項８記載の燃料電池用ガスセパレータであって、
前記開口部は、前記燃料電池用ガスセパレータの外周により近い近接部と、前記燃料電池用ガスセパレータの外周から解離した解離部とを有し、
前記解離部は、前記近接部よりも、径および／または幅がより小さく形成されている
燃料電池用ガスセパレータ。
【請求項１０】
請求項８または９記載の燃料電池用ガスセパレータであって、
前記連通路が前記開口部に接続する接続部の内壁には、前記開口部における径および／または幅がより小さい部分に接続する部分の方が、前記開口部における径および／または幅がより大きい部分に接続する部分よりも、液体との接触角が小さくなる処理が施されている
燃料電池用ガスセパレータ。
【請求項１１】
請求項１０記載の燃料電池用ガスセパレータであって、
前記接触角が小さくなる処理は、接触角がより小さくなる材料で被覆する処理と、接触角がより小さくなるように表面形状を変化させる処理とのうちの少なくともいずれか一方を含む処理である
燃料電池用ガスセパレータ。
【発明の詳細な説明】
【技術分野】
【０００１】
この発明は、燃料電池および燃料電池用ガスセパレータに関する。
【背景技術】
【０００２】
燃料電池が発電する際には、一般に電気化学反応の進行に伴って水が生じる。そのため、生じた水が燃料電池内部に滞留する場合が考えられるが、このように燃料電池内部に凝縮水が滞留すると、燃料電池内部におけるガスの流れを妨げ、電池性能の低下の原因となる可能性がある。
【０００３】
燃料電池では、一般に、単セル間にガスセパレータが配置される。このようなガスセパレータの一つとして、３枚の板状部材を積層して成るガスセパレータが知られている（例えば、特許文献１参照）。このようなガスセパレータでは、燃料電池の内部を燃料電池の積層方向に貫通するガスマニホールドを形成するための穴部が形成されている。また、このようなガスセパレータでは、ガスセパレータを構成する各板状部材に形成された穴部によって、単セル内を流れたガスをガスセパレータ内部を介してガスマニホールドへと導くガス排出流路が形成されている。すなわち、ガスセパレータを構成する３枚の板状部材の内、外側に配置される板状部材には、上記ガス排出流路の単セル側の開口部を形成する穴部が設けられている。また、ガスセパレータを構成する３枚の板状部材の内、中央に配置される板状部材には、上記開口部を形成する穴部と、ガスマニホールドを形成するための穴部とを連通させる貫通溝が形成されている。このようなガスセパレータを備える燃料電池において、単セル内におけるガスの流通を確保するためには、上記ガス排出流路を介して、単セルからガスマニホールドへと凝縮水が良好に排出されることが重要となる。
【０００４】
【特許文献１】特開２００４−６１０４号公報
【発明の開示】
【発明が解決しようとする課題】
【０００５】
上記のようなガスセパレータにおいては、特に、ガスセパレータ内に形成された上記ガス排出流路の、単セル側の開口部を複数に分割して、より小さな複数の開口部を設ける場合に、この開口部が凝縮水によって閉塞されやすくなるという問題を生じていた。単セルからガスマニホールドへとガスを排出するための開口部を、より小さな複数の開口部へと分割して設けるならば、例えば、分割することによって個々の開口部におけるガスの圧損が高まることにより、燃料電池内で積層された個々の単セルにおける圧損を均一化し易くなるという効果が得られる。また、より小さく分割して開口部を設けることにより、ガスセパレータにおける開口部近傍の強度を向上させることができるという効果が得られる。しかしながら、このように開口部を分割して、個々の開口部を小さくすることで、単セル内のガス流路から凝縮水が排出され難くなると共に、単セル内で生じた凝縮水によって開口部が閉塞され易くなり、ガス流れの悪化に起因して燃料電池の性能が低下する可能性があった。
【０００６】
本発明は、上述した従来の課題を解決するためになされたものであり、単セル内からガスを排出するための複数のガス排出口が形成されたガスセパレータを備える燃料電池において、液水に起因するガス流れの悪化を抑制することを目的とする。
【課題を解決するための手段】
【０００７】
上記目的を達成するために、本発明の燃料電池は、
電解質層と、
前記電解質層上に形成される電極層と、
前記電極層のさらに外側に配置されるガスセパレータと、
前記電解質層、前記電極層および前記ガスセパレータの積層方向に平行に配置され、前記電極上を通過したガスが流れるガス排出マニホールドと
を備え、
前記ガスセパレータは、前記電極層に対向する側の表面において開口し、前記電極上を通過したガスが流入する複数のガス排出口と、前記ガス排出口と前記ガス排出マニホールドとを、前記ガスセパレータの内部を介して連通させるガス連通路と、を有し、
前記ガス排出口は、径および／または幅が異なる複数の平面図形を一部が重なるように組み合わせた形状を有することを要旨とする。
【０００８】
以上のように構成された本発明の燃料電池によれば、電極層とガスセパレータとの間に形成されるガス流路を通過したガスが排出されるガス排出口が、径および／または幅が異なる複数の平面図形を一部が重なるように組み合わせた形状を有するため、径および／または幅がより小さい図形に対応する部分、すなわち、毛管力がより強く働く部分によって、上記ガス流路からガス排出口を介して効率良く排水を行なうことができる。また、このとき、径および／または幅がより小さい図形に対応する部分が、排水された水を保持することによって塞がれていても、径および／または幅がより大きい図形に対応する部分によってガスの流れを確保することができる。そのため、水によるガス排出口の閉塞を抑制しつつ、電極層とガスセパレータとの間に形成されるガス流路からの排水を促し、水に起因するガス流れの悪化を抑えることができる。
【０００９】
本発明の燃料電池において、
前記ガス排出口は、前記電極層と前記ガスセパレータとの間に形成されるガス流路を流れるガスが最初に到達する端部側に、径および／または幅がより小さい部分が形成されていることとしても良い。
【００１０】
このような構成とすれば、ガス流れに導かれた水が、径および／または幅がより小さい部分に最初に到達することになるため、径および／または幅がより小さい部分によって水を捉える効果を高めることができる。
【００１１】
本発明の燃料電池において、さらに、
前記電極層と、前記ガスセパレータとの間に、導電性多孔質体から成るガス流路形成部を備え、
前記ガスセパレータにおける前記ガス流路形成部と接する表面は、前記ガス流路形成部表面に比べて、液体との接触角が同等、あるいは、より小さくなる材料によって形成されていることとしても良い。
【００１２】
このような構成とすれば、ガスセパレータにおけるガス流路形成部と接する表面の方が、ガス流路形成部表面よりも高い親水性を示すようになる。したがって、電極層とガスセパレータとの間に形成されるガス流路内を通過する水が、多孔質体内部ではなく、ガスセパレータ表面を伝って移動し易くなる。これにより、ガス流路形成部内における水によるガス流れの阻害を抑制することができる。
【００１３】
本発明の燃料電池において、
前記ガス排出口は、径の異なる２つの円の一部を重ねた形状を有することとしても良い。
【００１４】
このような構成とすれば、ガス排出口の形状を、径の異なる２つの円の一部を重ねた簡素な形状にすることで、排水効率を向上すると共にガス流路を確保する効果を得ることができる。
【００１５】
このような本発明の燃料電池において、
前記ガス排出口は、径の異なる２つの円の一部を重ねて外周を滑らかな曲線にした形状を有することとしても良い。
【００１６】
このような構成とすれば、ガス排出口の外周形状を、滑らかな曲線とすることで、ガス排出口を打ち抜き加工等により形成する際に、ガス排出口形成の精度を向上させることができる。
【００１７】
本発明の燃料電池において、
前記ガス連通路が前記ガス排出口に接続する接続部の内壁には、前記ガス排出口における径および／または幅がより小さい部分に接続する部分の方が、前記ガス排出口における径および／または幅がより大きい部分に接続する部分よりも、液体との接触角が小さくなる処理が施されていることとしても良い。
【００１８】
このような構成とすれば、ガス排出口における径および／または幅がより小さい部分で水を保持しようとする働きを高め、電極層とガスセパレータとの間に形成されるガス流路からの排水を促す効果を高めることができる。ここで、接触角が小さくなる処理は、接触角がより小さくなる材料で被覆する処理と、接触角がより小さくなるように表面形状を変化させる処理とのうちの少なくともいずれか一方を含む処理であることとしても良い。
【００１９】
本発明の燃料電池用ガスセパレータは、
前記燃料電池内において、前記燃料電池用ガスセパレータを含む部材の積層方向に平行となるように、燃料電池内を貫通して形成されるガスマニホールドを形成する穴部と、
前記燃料電池用ガスセパレータの一方の表面で開口する複数の開口部を有すると共に、前記開口部と前記穴部とを、前記燃料電池用ガスセパレータの内部を介して連通させる連通路と
を備え、
前記開口部は、径および／または幅が異なる複数の平面図形を一部が重なるように組み合わせた形状を有することを要旨とする。
【００２０】
以上のように構成された本発明の燃料電池用ガスセパレータによれば、このようなガスセパレータを用いて燃料電池を組み立て、燃料電池の電極層とガスセパレータとの間との間に形成される流路を流れたガスが、開口部を介して連通路からガスマニホールド側へと排出されるようにガスを流すことにより、本発明の燃料電池を構成することができる。
【００２１】
本発明の燃料電池用ガスセパレータにおいて、
前記開口部は、前記燃料電池用ガスセパレータの外周により近い近接部と、前記燃料電池用ガスセパレータの外周から解離した解離部とを有し、
前記解離部は、前記近接部よりも、径および／または幅がより小さく形成されていることとしても良い。
【００２２】
このような構成とすれば、このようなガスセパレータを用いて燃料電池を組み立てたときに、電極層とガスセパレータとの間に形成されるガス流路を流れたガスが、ガスセパレータの外周に向かって流れる場合には、開口部において、径および／または幅がより小さい解離部へと、より早く到達することになる。そのため、開口部における径および／または幅がより小さい部分によって水を捉える効果を、さらに高めることができる。
【００２３】
本発明の燃料電池用ガスセパレータにおいて、
前記連通路が前記開口部に接続する接続部の内壁には、前記開口部における径および／または幅がより小さい部分に接続する部分の方が、前記開口部における径および／または幅がより大きい部分に接続する部分よりも、液体との接触角が小さくなる処理が施されていることとしても良い。
【００２４】
このような構成とすれば、このようなガスセパレータを用いて組み立てた燃料電池において、開口部における径および／または幅がより小さい部分で水を保持しようとする働きを高め、電極層とガスセパレータとの間に形成されるガス流路からの排水を促す効果を高めることができる。ここで、接触角が小さくなる処理は、接触角がより小さくなる材料で被覆する処理と、接触角がより小さくなるように表面形状を変化させる処理とのうちの少なくともいずれか一方を含む処理であることとしても良い。
【００２５】
本発明は、上記以外の種々の形態で実現可能であり、例えば、燃料電池内ガス流路の水による閉塞の防止方法などの形態で実現することが可能である。
【発明を実施するための最良の形態】
【００２６】
次に、本発明の実施の形態を実施例に基づいて以下の順序で説明する。
Ａ．燃料電池の構成：
Ｂ．単セルからの排水の動作：
Ｃ．変形例：
【００２７】
Ａ．燃料電池の構成：
図１は、実施例の燃料電池の概略構成を表わす断面模式図である。本実施例の燃料電池は、固体高分子型燃料電池であり、単セルを複数積層したスタック構造を有している。すなわち、本実施例の燃料電池は、図１に示すように、複数の単セル２０を備えると共に、各々の単セル２０間にガスセパレータ３０を介在させつつ単セル２０を積層させた構造を有している。
【００２８】
単セル２０は、電解質膜を含むＭＥＡ（膜−電極接合体、Membrane Electrode Assembly）２２と、ＭＥＡ２２の外側に配設されたガス流路形成部２４，２５を備える。ここで、ＭＥＡ２２は、電解質膜と、電解質膜を間に挟んでその表面に形成された触媒電極であるカソードおよびアノードと、上記触媒電極のさらに外側に配設されたガス拡散層と、を備えている（図示せず）。
【００２９】
電解質膜は、固体高分子材料、例えばパーフルオロカーボンスルホン酸を備えるフッ素系樹脂により形成されたプロトン伝導性のイオン交換膜であり、湿潤状態で良好なプロトン伝導性を示す。カソードおよびアノードは、電気化学反応を促進する触媒、例えば、白金、あるいは白金と他の金属から成る合金を備えている。カソードおよびアノードを形成するには、例えば、白金等の触媒金属を担持させたカーボン粉を作製し、この触媒担持カーボンと、電解質膜を構成する電解質と同様の電解質とを用いて触媒ペーストを作製し、作製した触媒ペーストを電解質膜上に塗布すればよい。ガス拡散層は、カーボン製の多孔質部材であり、例えばカーボンクロスやカーボンペーパによって形成される。触媒電極を表面に形成した電解質膜とガス拡散層とは、例えばプレス接合により一体化されてＭＥＡ２２となる。なお、ガス拡散層は、触媒電極に対するガス供給効率を向上させると共に、ガス流路形成部と触媒電極との間の集電性を高め、電解質膜を保護する働きを有するが、ガス流路形成部の構成材料やガス流路形成部の気孔率によっては、ガス拡散層を設けないこととしても良い。
【００３０】
ガス流路形成部２４，２５は、発泡金属や金属メッシュなどの金属製多孔質体によって形成されており、例えば、チタンやステンレス製の多孔質体とすることができる。本実施例では、表面を金メッキしたチタン製の多孔質体を用いている。ガス流路形成部２４，２５は、ＭＥＡ２２とガスセパレータ３０との間に形成される空間全体を占めるように配設されており、内部に形成される多数の細孔から成る空間は、電気化学反応に供されるガスが通過する単セル内ガス流路として機能する。既述したガス拡散層においても、内部に形成される空間をガスが通過するが、本実施例では、ガス流路形成部２４，２５は、単セル２０に供給されたガスが通過する主たる空間を形成する。カソードとガスセパレータ３０との間に配置されるガス流路形成部２４では、その内部の細孔によって形成される空間が、酸素を含有する酸化ガスが通過する単セル内酸化ガス流路として機能する。また、アノードとガスセパレータ３０との間に配置されるガス流路形成部２５では、その内部の細孔によって形成される空間が、水素を含有する燃料ガスが通過する単セル内燃料ガス流路として機能する。
【００３１】
ここで、隣り合うガスセパレータ３０間であって、ＭＥＡ２２およびガス流路形成部２４，２５の外周部には、可撓性および弾性を有するシール部２７が設けられている。シール部２７は、例えば、シリコンゴム、ブチルゴム、フッ素ゴムなどの絶縁性樹脂材料によって形成することができると共に、ＭＥＡ２２と一体で形成されている。このようなシール部２７は、例えば、シール部２７に対応する形状の金型のキャビティ内にＭＥＡ２２の外周部が収まるようにＭＥＡ２２を配設し、上記樹脂材料を射出成形することによって形成できる。これにより、ＭＥＡ２２とシール部２７とが隙間なく接合される。あるいは、シール部２７は、ＭＥＡ２２と一体形成するだけでなく、予めＭＥＡ２２とガス流路形成部２４，２５とを接合しておき、ＭＥＡ２２およびガス流路形成部２４，２５と一体形成しても良い。
【００３２】
図２は、ＭＥＡ２２と一体形成されたシール部２７の概略構成を表わす平面図である。図２に示すように、シール部２７は、略四角形状の薄板状部材であり、外周部において辺に沿って細長く形成される６つの穴部（穴部４０〜４５）と、中央部に設けられてＭＥＡ２２が組み込まれている略四角形の穴部とを有している。なお、シール部２７は、図１の断面図に示すように所定の凹凸形状を有しており、燃料電池内では、上記６つの穴部および略四角形の穴部を取り囲む位置に設けられた凸部で、隣接するガスセパレータ３０と接触する。上記凸部によるシール部２７とガスセパレータ３０との接触位置（図１において一点鎖線でシール線ＳＬと示す）を、図２の平面図においてシール線ＳＬとして示している。シール部２７は、弾性を有する樹脂材料から成るため、燃料電池内で積層方向に平行な方向に押圧力が加えられることにより、上記シール線ＳＬの位置においてガスセパレータ３０との間でガスシール性を実現可能となる。
【００３３】
また、図２では、シール部２７と一体化されたＭＥＡ２２における露出している部分を、ハッチを付して示している。この、ＭＥＡ２２における露出している部分は、酸化ガスおよび燃料ガスの供給を受けて、ＭＥＡ２２が備える触媒電極で電気化学反応が進行する領域に対応する。そこで、燃料電池内部において、上記ＭＥＡ２２における露出している部分に重なる領域を、以下、発電領域と呼ぶ。ガス流路形成部２５は、発電領域と略同一形状に形成されており、この領域と重なるようにＭＥＡ２２上に配置されている。
【００３４】
ガスセパレータ３０は、図１に示すように、ガス流路形成部２４と接するカソード側プレート３１と、ガス流路形成部２５と接するアノード側プレート３３と、カソード側プレート３１およびアノード側プレート３３に挟持される中間プレート３２と、を備えている。これら３枚のプレートは、導電性材料、例えばステンレス鋼あるいはチタンやチタン合金といった金属によって形成される薄板状部材であり、カソード側プレート３１、中間プレート３２、アノード側プレート３３の順に重ね合わされて、例えば拡散接合により接合されている。本実施例では、上記３枚のプレートを、表面を金メッキしたチタン製の薄板状部材によって形成している。これら３種のプレートは、いずれも凹凸のない平坦な表面を有すると共に、各々、所定の位置に所定形状の穴部を有している。図３は、カソード側プレート３１の形状を示す平面図であり、図４は、アノード側プレート３３の形状を示す平面図であり、図５は、中間プレート３２の形状を示す平面図である。
【００３５】
カソード側プレート３１、アノード側プレート３３は、いずれも、その外周部においてシール部２７と同様の位置に、６つの穴部を備えている。これらの６つの穴部は、シール部２７に設けられた６つの穴部と共に、ガスセパレータ３０および単セル２０を積層して燃料電池を組み立てたときに互いに重なり合って、燃料電池内部において積層方向に平行に流体を導くマニホールドを形成する。
【００３６】
ガスセパレータ３０を構成する各プレートおよびシール部２７では、略四角形状である外周の一辺（図３において辺３５と示す）の近傍に穴部４０が形成されている。また、近傍に穴部４０が形成された辺と対向する辺（図３において辺３６と示す）の近傍には、穴部４１が形成されている。さらに、他の２辺のうちの一方の辺（図３において辺３７と示す）の近傍には穴部４２，４４が形成されており、他方の辺（図３において辺３８と示す）の近傍には穴部４３，４５が形成されている。なお、中間プレート３２は、上記６つの穴部のうち、穴部４４，４５は有していないが、後述する複数の冷媒孔４８が、穴部４４，４５に対応する位置に重なるように設けられている。
【００３７】
上記各薄板状部材が備える穴部４０は、燃料電池に対して供給された酸化ガスを各単セルに分配する酸化ガス供給マニホールドを形成し（図中、Ｏ2 inと表わす）、穴部４１は、各単セルから排出されて集合した酸化ガスを外部へと導く酸化ガス排出マニホールドを形成する（図中、Ｏ2 outと表わす）。また、穴部４２は、燃料電池に対して供給された燃料ガスを各単セルに分配する燃料ガス供給マニホールドを形成し（図中、Ｈ2 inと表わす）、穴部４３は、各単セルから排出されて集合した燃料ガスを外部へと導く燃料ガス排出マニホールドを形成する（図中、Ｈ2 outと表わす）。さらに、穴部４４は、燃料電池に対して供給された冷却水などの冷媒を各ガスセパレータ３０内に分配する冷媒供給マニホールドを形成し（図中、水 inと表わす）、穴部４５は、各ガスセパレータ３０から排出されて集合した冷媒を外部へと導く冷媒排出マニホールドを形成する（図中、水 outと表わす）。
【００３８】
また、カソード側プレート３１は、穴部４０の近傍に、穴部４０よりも小さく、穴部４０に平行に配列する複数の穴部である連通孔５０を備えており、穴部４１の近傍には、同様に、穴部４１に平行に配列する複数の連通孔５１を備えている（図３参照）。上記連通孔５０は、ガスセパレータ３０における流路形成部材２４と接する側の表面で、単セル内酸化ガス流路へと酸化ガスが流入する酸化ガス供給口を形成する。また、連通孔５１は、ガスセパレータ３０における流路形成部材２４と接する側の表面で、単セル内酸化ガス流路から酸化ガスが排出される酸化ガス排出口を形成する。本実施例では、各々の連通孔５０は、略円形の穴部として形成されており、各々の連通孔５１は、いわゆるひょうたん型の穴部として形成されている。この連通孔５１は、本発明の要部に対応する構成であり、後に詳しく説明する。
【００３９】
また、アノード側プレート３３は、穴部４２の近傍に、穴部４２よりも小さく、穴部４２に平行に配列する複数の穴部である連通孔５２を備えており、穴部４３の近傍には、同様に、穴部４３に平行に配列する複数の連通孔５３を備えている（図４参照）。上記連通孔５２は、ガスセパレータ３０における流路形成部材２５と接する側の表面で、単セル内燃料ガス流路へと燃料ガスが流入する燃料ガス供給口を形成する。また、連通孔５３は、ガスセパレータ３０における流路形成部材２５と接する側の表面で、単セル内燃料ガス流路から燃料ガスが排出される燃料ガス排出口を形成する。本実施例では、各々の連通孔５２および各々の連通孔５３は、略円形の穴部として形成されている。
【００４０】
中間プレート３２においては、穴部４０の形状が他のプレートとは異なっており、中間プレート３２の穴部４０は、この穴部４０のプレート中央部側の辺が、プレート中央部側へと突出する複数の突出部を備える形状となっている。穴部４０が有する上記複数の突出部を、連通部５４と呼ぶ。この連通部５４は、中間プレート３２とカソード側プレート３１とが積層されたときに連通孔５０と重なり合って、酸化ガス供給マニホールドと連通孔５０とが連通するように、各連通孔５０に対応して設けられている。すなわち、連通部５４は、連通孔５０と共に、酸化ガス供給マニホールドと単セル内酸化ガス流路とを連通させる連通路を形成する。
【００４１】
中間プレート３２では、他の穴部４１，４２，４３においても同様に、連通孔５１，５２，５３に対応して、複数の連通部５５，５６，５７がそれぞれ設けられている（図５参照）。ここで、連通部５５は、連通孔５１と共に、酸化ガス排出マニホールドと単セル内酸化ガス流路とを連通させる連通路を形成する。また、連通部５６は、連通孔５２と共に、燃料ガス供給マニホールドと単セル内燃料ガス流路とを連通させる連通路を形成する。また、連通部５７は、連通孔５３と共に、燃料ガス排出マニホールドと単セル内燃料ガス流路とを連通させる連通路を形成する。
【００４２】
燃料電池の内部において、穴部４０が形成する酸化ガス供給マニホールドを流れる酸化ガスは、中間プレート３２の連通部５４が形成する空間と、カソード側プレート３１の連通孔５０とを介して、ガス流路形成部２４内に形成される単セル内酸化ガス流路へと流入する。単セル内酸化ガス流路において酸化ガスは、ガス流路形成部２４に平行な方向（面方向）に流れると共に、面方向に垂直な方向（積層方向）へとさらに拡散する。積層方向に拡散した酸化ガスは、ガス流路形成部２４からガス拡散層を介してカソードに至り、電気化学反応に供される。このように電気化学反応に寄与しつつ単セル内酸化ガス流路を通過した酸化ガスは、ガス流路形成部２４から、カソード側プレート３１の連通孔５１および中間プレート３２の連通部５５が形成する空間を介して、穴部４１が形成する酸化ガス排出マニホールドへと排出される。同様に、燃料電池の内部において、穴部４２が形成する燃料ガス供給マニホールドを流れる燃料ガスは、中間プレート３２の連通部５６が形成する空間と、アノード側プレート３３の連通孔５２とを介して、ガス流路形成部２５内に形成される単セル内燃料ガス流路へと流入する。単セル内燃料ガス流路において燃料ガスは、面方向に流れると共に、積層方向へとさらに拡散する。積層方向に拡散した燃料ガスは、ガス流路形成部２５からガス拡散層を介してアノードに至り、電気化学反応に供される。このように電気化学反応に寄与しつつ単セル内燃料ガス流路を通過した燃料ガスは、ガス流路形成部２５から、アノード側プレート３３の連通孔５３および中間プレート３２の連通部５７が形成する空間を介して、穴部４３が形成する燃料ガス排出マニホールドへと排出される。なお、本実施例では、穴部４０が重力方向上方側となり、穴部４１が重力方向下方側となるように、各単セル２０およびガスセパレータ３０が配置されており、単セル内ガス流路においては、酸化ガスは、重力方向上方から下方へと流れる。
【００４３】
図２ないし図５においてＡ−Ａ断面の位置を示しているが、このＡ−Ａ断面の位置は、図１に示した断面図に相当する位置を表わしている。図１では、酸化ガス供給マニホールドから、連通部５４および連通孔５０を介してガス流路形成部２４内へと酸化ガスが供給される様子と、ガス流路形成部２４から、連通孔５１および連通部５５を介して酸化ガス排出マニホールドへと酸化ガスが排出される様子とが、それぞれ矢印で表わされている。
【００４４】
なお、中間プレート３２は、さらに、ガス流路形成部と重なる領域に、互いに平行に形成された細長い複数の冷媒孔４８を備えている。これらの冷媒孔４８の端部は、中間プレート３２を他の薄板状部材と重ね合わせたときに、穴部４４，４５と重なり合い、冷媒孔４８は、冷媒が流れるためのセル間冷媒流路をガスセパレータ３０内で形成する。すなわち、燃料電池の内部において、穴部４４が形成する冷媒供給マニホールドを流れる冷媒は、上記冷媒孔４８によって形成されるセル間冷媒流路に分配され、セル間冷媒流路から排出される冷媒は、穴部４５が形成する冷媒排出マニホールドに排出される。
【００４５】
Ｂ．単セルからの排水の動作：
図６は、本実施例の燃料電池の断面であって、カソード側プレート３１に形成された連通孔５１を含む断面の様子を表わす説明図である。図６に表わす領域の位置を、図１の断面図においてＢ領域として破線で囲んで示す。なお、図６では、ＭＥＡ２２が、表面に触媒電極が形成された電解質膜２１と、これを挟持するガス拡散層２３とによって構成される様子が表わされている。
【００４６】
燃料電池１０で電気化学反応が進行する際には、カソードにおいて水が生じ、生じた水は、単セル内酸化ガス流路を形成するガス流路形成部２４の内部を、酸化ガスの流れと重力に従って、重力方向下方へと移動する。ここで、本実施例では、チタンによって形成されるガスセパレータ３０（カソード側プレート３１）の表面は、金メッキすることによって、耐食性および親水性が高められている。このように、ガスセパレータ３０表面の親水性が高められることにより、単セル内酸化ガス流路内を流れる水の内のより多くの部分は、ガス流路形成部２４の内部ではなく、ガス流路形成部２４とガスセパレータ３０との界面に沿って移動するようになる。このようにガスセパレータ３０表面を移動した水は、やがて、連通孔５１の端部に達する。
【００４７】
図７は、カソード側プレート３１に形成される連通孔５１の様子を平面的に拡大して示す説明図である。連通孔５１は、径のより大きな円と、径のより小さな円とを、一部が重なるように組み合わせて、その外周を滑らかな曲線としたいわゆるひょうたん型に形成されている。本実施例では、連通孔５１は、径のより小さな円に対応する部分が重力方向上方側となるように、カソード側プレート３１において形成されている。
【００４８】
ガスセパレータ３０表面をガス流れに導かれて重力方向下方へと移動した水は、連通孔５１における径のより小さな円に対応する部分の端部に到達し、この径のより小さな円に対応する部分に保持されるようになる。特に、径のより小さな円に対応する部分は、径のより大きな円に対応する部分よりも毛管力が強く働くため、連通孔５１端部に達した水は、径のより小さな円に対応する部分に優先的に保持されることになる。連通孔５１における径のより小さな円に対応する部分に水が保持される様子を、図７に示す。
【００４９】
このように、連通孔５１における径のより小さな円に対応する部分に水が保持されているときにも、連通孔５１においては、径のより大きな円に対応する部分は水を保持することなくガスの流路として機能する。また、ガスセパレータ３０表面を移動して連通孔５１へとさらなる水が到達すると、酸化ガスの流れに導かれて、水はさらに下流側へ、すなわち、酸化ガス排出マニホールド側へと移動する。
【００５０】
以上のように構成された本実施例の燃料電池によれば、単セル内酸化ガス流路から酸化ガスが排出される連通孔５１の形状を、いわゆるひょうたん型に形成しているため、毛管力が強く働く径の小さな円に対応する部分によって、単セル内酸化ガス流路から効率良く排水することが可能になる。また、このとき、径の小さな円に対応する部分が、単セル内酸化ガス流路から排水された水を保持することによって塞がれていても、径の大きな円に対応する部分によって酸化ガスの流れを確保することができる。そのため、水による連通孔５１の閉塞を抑制しつつ、単セル内酸化ガス流路からの排水を促し、液水に起因するガス流れの悪化を抑えることができる。
【００５１】
ここで、カソード側プレート３１に形成された連通孔５１の内壁のうち、単セル内酸化ガス流路からの水の排水を促すための径の小さな円に対応する部分において、親水性をより高める処理、すなわち、液水との接触角が、より小さくなる処理を施しても良い。このような処理を施すことで、径の小さな円に対応する部分において水を保持しようとする働きを高め、単セル内酸化ガス流路からの排水を促す効果を高めることができる。液水との接触角をより小さくするためには、カソード側プレート３１の表面を被覆する金よりも接触角がより小さくなる材料（親水性の高い物質）、例えばフェライト（αＦｅ）や銅（Ｃｕ）によって、径の小さな円に対応する部分の内壁をコートすればよい。あるいは、上記材料による被覆の処理に代えて、または加えて、接触角がより小さくなるように表面形状を変化させる処理を施しても良い。具体的には、例えば、径の小さな円に対応する部分の内壁を粗面化する処理を施して表面積を増大させ、この部分において働く毛管力を強めることによって、水を保持しようとする力を強める、すなわち、親水性を高めることができる。
【００５２】
また、連通孔５１において、径の小さな円に対応する部分における排水性を高めるために、径の小さな円に対応する部分における重力方向上方側の端部内壁面において、単セル内酸化ガス流路側から酸化ガス排出マニホールド側へと重力に従って水を導くための、傾斜を設けても良い。このような構成を、図８に示す。図８は、燃料電池における図６と同様の部位を表わす断面模式図であり、連通孔５１に代えて、上端部内壁に傾斜面１６０を有する連通孔１５１が形成されている。なお、図８においては、実施例と共通する部分には同じ参照番号を付している。このような構成とすることで、単セル内酸化ガス流路から連通孔１５１を介して酸化ガス排出マニホールド側へと水が流れやすくなり、単セル内酸化ガス流路における排水性をさらに向上させることができる。
【００５３】
Ｃ．変形例：
なお、この発明は上記の実施例や実施形態に限られるものではなく、その要旨を逸脱しない範囲において種々の態様において実施することが可能であり、例えば次のような変形も可能である。
【００５４】
Ｃ１．変形例１：
実施例では、連通孔５１を、径のより小さな円と径のより大きな円とを一部が重なるように組み合わせた形状、いわゆるひょうたん型に形成したが、異なる形状としても良い。例えば、幅のより小さな四角形と、幅のより大きな四角形とを、一部が重なるように組み合わせた形状とすることができる。このような形状の一例を、図９に示す。あるいは、径のより小さな複数の円と、径のより大きな円とを、一部が重なるように組み合わせた形状としても良い。このような形状の一例を、図１０に示す。
【００５５】
図９あるいは図１０に示した形状の他、径が異なる円あるいは楕円や、幅が異なる四角等の複数の平面図形を、一部が重なるように組み合わせた形状の穴部として連通孔を形成すれば、径や幅が小さい部分で優先的に水を保持すると共に、径や幅が大きい部分でガス流れを確保する同様の効果が得られる。特に、実施例で示したひょうたん型など、円や楕円を組み合わせた形状の穴部を設け、穴部の外周を、角部を設けない滑らかな曲線に囲まれた形状とすれば、穴部形成の精度を向上させることができる。すなわち、穴部の外周形状を滑らかな曲線に囲まれた図形とすることで、例えば金属板を打ち抜き加工することによって穴部を形成する場合には、打ち抜き加工の際の金属板の反りが抑えられ、穴部形成の精度を保つことができる。
【００５６】
Ｃ２．変形例２：
また、実施例では、径のより小さな円に対応する部分が、重力方向上方側となるように、すなわち、ガス流れに導かれた水が最初に達する端部側となるように、連通孔５１を形成しているが、異なる構成としても良い。ガス排出用の穴部において、ガスの流れ方向に拘わらず、いずれかの位置に径や幅が小さい部分が設けられていれば、この部分で優先的に水を保持することによって単セル内酸化ガス流路からの排水を促すと共に、他の部分でガス流れを確保することによる同様の効果が得られる。ただし、実施例のように、単セル内ガス流路を流れるガスが最初に到達する端部側、すなわち発電領域中心部により近い側に、径や幅が小さい部分を配置すれば、ガス流れに導かれた水を優先的に捉える効果を高めることができて望ましい。
【００５７】
Ｃ３．変形例３：
実施例では、単セル内酸化ガス流路におけるガスの流れの向きを、重力と同じ向きとしたが、異なる構成としても良い。すなわち、いずれの向きにガスが流れる場合にも、ガス排出用の穴部の形状において本発明を適用することで、同様の効果が得られる。ガスの流れ方向は、例えば、鉛直方向上向きや左右方向とすることができる。
【００５８】
Ｃ４．変形例４：
実施例では、ガスセパレータ３０の表面を金メッキしているが、異なる構成としても良い。金メッキを施すことで、チタン製のガスセパレータ３０の耐食性を向上させ、ガスセパレータ表面における接触抵抗の増大を抑制することができるが、導電性と耐食性に優れた他の物質、例えばカーボンによってガスセパレータ表面をコートしても良い。あるいは、ガスセパレータ３０をチタンによって形成する場合には、ガスセパレータを構成するプレートの表面を窒化処理することによって、ガスセパレータの耐食性を向上させても良い。
【００５９】
なお、ガスセパレータ３０を構成する各プレートの表面に金メッキを施すことにより、ガスセパレータの耐食性を向上させる効果に加えて、さらに、既述したようにガスセパレータ表面の親水性を高める効果も得られる。このようにガスセパレータ３０表面の親水性を高めることにより、単セル内酸化ガス流路内の水が、ガス流路形成部２４の内部ではなく、ガスセパレータ表面を伝って移動し易くなる。これにより、ガス流路形成部２４内における液水によるガス流れの阻害を抑制することができる。このように、ガスセパレータ表面の親水性を高めてガスセパレータ表面を伝って水を移動させる場合には、実施例のように連通孔５１において径や幅が小さい部分をガス流れが最初に到達する位置に設けることにより、径や幅が小さい部分において水を保持させて排水を促す効果を、より高めることができる。
【００６０】
このように、ガスセパレータ表面を水が伝うようにするには、ガスセパレータ表面の親水性を高めると共に、ガスセパレータ表面の親水性を、ガス流路形成部表面の親水性に比べて、同等以上に高くすることが望ましい。実施例では、ガスセパレータ３０とガス流路形成部の両方を金メッキすることによって、各々の部材の親水性を同様に高めている。あるいは、実施例のように、ガスセパレータ３０とガス流路形成部の両方の親水性を同様に高める構成に代えて、ガスセパレータ３０の親水性をガス流路形成部よりも高める処理を施しても良い。例えば、ガスセパレータを構成する各プレートの表面を、実施例と同様に金メッキし、ガス流路形成部２４の表面を窒化処理すれば、双方の耐食性を高めると共に、ガスセパレータ表面の親水性をガス流路形成部表面に比べてより高くすることができる。なお、ガス流路形成部側の親水性を、ガスセパレータ表面の親水性に比べて高くする構成は、凝縮水がガス流路形成部内に保持され易くなり、ガス流路形成部におけるガス流れが阻害される可能性が高まるため望ましくない。
【００６１】
Ｃ５．変形例５：
実施例では、ガス流路形成部２４によって連通孔５１を覆っているが、異なる構成としても良い。例えば、ガス流路形成部２４が、ガスセパレータ３０表面に接しつつ連通孔５１を覆うのではなく、連通孔５１上にはガス流路形成部２４との間に空間を設けることとしても良い。このように、単セル内酸化ガス流路を形成する多孔質体であるガス流路形成部２４と連通孔５１との間に空間を設ける場合にも、連通孔の形状について本発明を適用することにより、単セル内酸化ガス流路からの排水性を高めると共に酸化ガスが流れる流路を確保する同様の効果を得ることができる。
【００６２】
また、実施例の燃料電池では、板状多孔質体であるガス流路形成部２４の内部の細孔によって形成される空間を、単セル内酸化ガス流路としているが、異なる構成としても良い。例えば、ガスセパレータの表面に複数の溝状の凹凸を設け、ガスセパレータがＭＥＡと接するときに上記凹凸によってガスセパレータとＭＥＡとの間に形成される空間を、単セル内酸化ガス流路としても良い。ガスセパレータの内部に、単セル内酸化ガス流路と酸化ガス排出マニホールドとを接続する流路が形成されており、この流路が、ガスセパレータ表面のＭＥＡと重なる領域に開口しているならば、開口部の形状について本発明を適用することで、単セル内酸化ガス流路からの排水性を高めると共に開口部の閉塞を抑制する同様の効果が得られる。
【００６３】
Ｃ６．変形例６：
実施例では、単セル内酸化ガス流路から酸化ガスが排出される連通孔５１の形状において、本発明を適用したが、このような構成に代えて、あるいはこのような構成に加えて、単セル内燃料ガス流路から燃料ガスが排出される連通孔５３の形状においても、同様に本発明を適用しても良い。電気化学反応が進行する際には、カソード側で水が生じるため、酸化ガスの流路においては特に生成水によるガス流路の閉塞が問題になるが、燃料ガス流路においても、電解質膜を介して生成水がアノード側に移動することにより、あるいは、燃料電池に供給される燃料ガスが所定量の水蒸気を含有することにより、特に起動時などの低温時には凝縮水が生じ易くなる。したがって、単セル内燃料ガス流路から燃料ガスを排出するガス排出口においても、本発明を適用することにより、水に起因するガス流れの阻害を抑制する同様の効果が得られる。
【００６４】
また、実施例の燃料電池は、固体高分子型燃料電池としたが、異なる種類の燃料電池において本発明を適用しても良い。例えば、アルカリ型燃料電池であっても良く、運転温度が１００℃未満の燃料電池であれば、流路内部に存在する水に起因するガス流れの阻害が生じうるため、本発明を適用することで同様の効果が得られる。
【図面の簡単な説明】
【００６５】
【図１】実施例の燃料電池の概略構成を表わす断面模式図である。
【図２】シール部２７の概略構成を表わす平面図である。
【図３】カソード側プレート３１の形状を示す平面図である。
【図４】アノード側プレート３３の形状を示す平面図である。
【図５】中間プレート３２の形状を示す平面図である。
【図６】連通孔５１を含む断面の様子を表わす説明図である。
【図７】連通孔５１の様子を平面的に拡大して示す説明図である。
【図８】連通孔１５１が形成された燃料電池の断面模式図である。
【図９】連通孔の形状の変形例の一例を表わす説明図である。
【図１０】連通孔の形状の変形例の一例を表わす説明図である。
【符号の説明】
【００６６】
１０…燃料電池
２０…単セル
２１…電解質膜
２２…ＭＥＡ
２３…ガス拡散層
２４，２５…ガス流路形成部
２７…シール部
３０…ガスセパレータ
３１…カソード側プレート
３２…中間プレート
３３…アノード側プレート
３５〜３８…辺
４０〜４５…穴部
４８…冷媒孔
５０〜５３…連通孔
５４〜５７…連通部
１５１…連通孔
１６０…傾斜面
【図１】
2007294331.tif 000003
【図２】
2007294331.tif 000004
【図３】
2007294331.tif 000005
【図４】
2007294331.tif 000006
【図５】
2007294331.tif 000007
【図６】
2007294331.tif 000008
【図７】
2007294331.tif 000009
【図８】
2007294331.tif 000010
【図９】
2007294331.tif 000011
【図１０】
2007294331.tif 000012